(57)【特許請求の範囲】
【請求項１】
上部をパイプシャッター、下部をスラットシャッターで構成した上部開放型シャッターにおいて、該パイプシャッターは左右方向に延出する複数の長尺パイプをリンクを介して上下方向に連設して構成されており、該パイプシャッターには、該リンクの屈曲に合わせて屈曲自在な緩衝部材が該リンクに沿って設けてあり、該緩衝部材は該リンクの長さ方向に延出すると共に、該リンクよりも幅広に形成され、該緩衝部材の前後の外周縁は、該リンクの前後の外周縁より突出していると共に、左右方向に延出して突縁を形成しており、該前後の突縁間に該リンクを受け入れるように構成されていることを特徴とする上部開放型シャッターにおけるスラット損傷防止装置。
【請求項２】
前記リンクは、長さ方向中間部位で短パイプを介して屈曲可能に構成されていることを特徴とする請求項１に記載のスラット損傷防止装置。
【請求項３】
前記緩衝部材は上端側にパイプの挿通孔が形成されていると共に、前記緩衝部材の上端縁は円弧状の凸縁に、下端縁は円弧状の凹縁に形成されていることを特徴とする請求項１、２いずれかに記載のスラット損傷防止装置。
【請求項４】
上部をパイプシャッター、下部をスラットシャッターで構成した上部開放型シャッターにおいて、
該パイプシャッターは左右方向に延出する複数の長尺パイプをリンクを介して上下方向に連設して構成されており、該リンクは、長さ方向中間部位で短パイプを介して屈曲可能に構成されており、
該パイプシャッターには、該リンクの屈曲に合わせて屈曲自在な緩衝部材が該リンクに沿って設けてあり、該緩衝部材は該リンクの長さ方向に延出すると共に、該リンクよりも幅広に形成されており、該緩衝部材の前後の外周縁が該リンクの前後の外周縁より突出しており、
さらに、前記緩衝部材は上半部と下半部とから段差状に形成されており、該上半部及び該下半部にはそれぞれパイプの挿通孔が形成されていると共に、該上半部の上端縁および該下半部の下端縁は円弧状の凸縁に形成されており、上側に位置する緩衝部材の下半部と下側に位置する緩衝部材の上半部とが互いに回動自在に重なり合うことを特徴とする上部開放型シャッターにおけるスラット損傷防止装置。
【発明の詳細な説明】
【０００１】
【発明の属する技術分野】
本発明は上部開放型シャッターのスラット損傷防止装置に係り、詳しくは、巻取りに際し、スラットシャッターを構成するスラットがパイプシャッターを構成するリンクに当接して損傷することを防止する装置に関するものである。
【０００２】
【従来の技術】
従来、図１に示すように、上部をパイプシャッター１、下部をスラットシャッター２とした、いわゆる上部開放型シャッターが存在する。シャッターカーテンの上部をパイプシャッターから構成することで開放状とし、火災時には、煙が上部のパイプシャッターから排出され建物内に煙が充満することを防止している。また、開放部位が採光の目的に使用される場合もある。
【０００３】
このようなシャッターにおいては、図２に示すように、巻取り時に下層に巻かれるパイプシャッター部の上層にスラットシャッターが巻き取られるため、図で丸で囲んだ部位においてパイプシャッターのリンク７がスラット９に接触して（以下、本明細書では「メタルタッチ」と言う）、スラット９に傷が付いて塗膜が剥離すると共に、開閉音が大きくなるというような不具合があった。
【０００４】
このような不具合を解消することを目的とした技術手段としては、実公平４−２１４２９号、実公平４−４１５２号、実公平５−２７６７４号、実開平１−１１８０８３号に開示されているが、これらのものではメタルタッチの惧れは依然として残っている。
【０００５】
また、これらを一歩進めたものとして、図３に示すようなものも考えられる。このものでは、短尺のリンク７０を短尺パイプ６０を介して屈曲自在に連結してなるリンク部材を用意し、該リンク部材によって上下のパイプ６を連結すると共に、短尺リンク７０の幅に対して大径のリング状の緩衝部材Aを、パイプ６および短尺パイプ６０に設けたものである。このものは、図４に示すように比較的良好に緩衝部材Aがスラット９に接触するが、このものにおいても、メタルタッチの可能性が残っている。
【０００６】
【発明が解決しようとする課題】
本発明は、上記不具合を解決するために創案されたものであって、いわゆる上部開放型シャッターにおいて、メタルタッチを良好に防止することを目的とするものである。
【０００７】
【課題を解決するための手段】
かかる課題を達成するために本発明が採用した技術手段は、上部をパイプシャッター、下部をスラットシャッターで構成した上部開放型シャッターにおいて、該パイプシャッターは左右方向に延出する複数の長尺パイプをリンクを介して上下方向に連設して構成されており、該パイプシャッターには、該リンクの屈曲に合わせて屈曲自在な緩衝部材が該リンクに沿って設けてあり、該緩衝部材は該リンクの長さ方向に延出すると共に、該リンクよりも幅広に形成されており、該緩衝部材の前後の外周縁が該リンクの前後の外周縁より突出していることを特徴とする。こうすることで、シャッターカーテンの巻取り時には、スラットには緩衝部材が当接することとなり、いわゆるメタルタッチが防止される。緩衝部材は好ましくは衝撃吸収性の高い樹脂から形成される。
【０００８】
好ましくは、前記リンクは、長さ方向中間部位で短パイプを介して屈曲可能に構成されている。例えば、リンクは、短尺リンクを短パイプを介して上下に回動自在に連設することで構成される。
【０００９】
好ましくは、前記緩衝部材の前後の外周縁は左右方向に延出して突縁を形成しており、前後の突縁間に該リンクを受け入れるように構成されている。こうすることで、リンクが緩衝部材から外れることを防止している。
【００１０】
好ましい一つの態様では、前記緩衝部材は上端側にパイプの挿通孔が形成されていると共に、前記緩衝部材の上端縁は円弧状の凸縁に、下端縁は円弧状の凹縁に形成されている。こうすることで、上下に位置する緩衝部材が互いに干渉することなく、リンクの屈曲に合わせて屈曲自在となる。
【００１１】
他の好ましい一つの態様では、前記緩衝部材は上半部と下半部とから段差状に一体形成されており、該上半部及び該下半部にはそれぞれパイプの挿通孔が形成されていると共に、該上半部の上端縁および該下半部の下端縁は円弧状の凸縁に形成されており、上側に位置する緩衝部材の下半部と下側に位置する緩衝部材の上半部とが互いに回動自在に重合している。
【００１２】
【発明の実施の形態】
本発明の実施の形態を図面に基づいて説明する。いわゆる上部開放型シャッターの基本的構成について図１に基づいて説明する。上部開放型シャッターは、上部がパイプ構造のパイプシャッター１、下部がスラット構造のスラットシャッター２から構成されており、建物開口部の開放時には、該開口部の上方に設けられたシャッターケース３内に収納された巻取りドラム４に巻き取られ、該開口部の閉鎖時には、該開口部左右のガイドレール５に案内されて下降して開口部を閉鎖するように構成されている。
【００１３】
パイプシャッター１は、左右方向に延出する複数の長尺パイプ６を上下方向に間隔を存して配設すると共に、上下方向に隣位のパイプ６同士をリンク７を介して連設するようになっている。巻取り状態を示す各側面図に示すように、パイプシャッター１は複数の吊元側スラットを介して巻取りドラム４に連結されている。スラットシャッター２は左右方向に延出する複数枚のスラット９を上下方向にインターロック結合して連設して形成されている。パイプシャッター１の下端のパイプ６には継板８が連結されており、パイプシャッター１は継板８を介してスラットシャッター２と連結されている。
【００１４】
図５、図６は本発明の第一の実施の形態を示す図である。リンク７は、縦長偏平状の板状体であり、上下端部に位置してパイプ６を挿通させる挿通孔１０，１１が形成されている。リンク７は挿通孔１０，１１にパイプ６を受け入れることでパイプ６に対して回動自在である。上下方向に隣位のリンク７は、上側のリンク７の下端部と下側のリンク７の上端部とが挿通孔１１、１０の位置を合わせるようにして重合されており、重合状の挿通孔１１，１０にパイプ６を挿通させることで、パイプシャッター１は屈曲自在に形成されている。また、リンク７の上下端縁は円弧状の湾曲凸縁に形成されている。
【００１５】
パイプ６には、リンク７に沿って樹脂製の緩衝部材12が設けてある。緩衝部材１２は所望の肉厚を持った板状体であり、上端部位にパイプ６を挿通させる挿通孔１３を有すると共に、下方に向ってリンク７の長さ方向に延出している。緩衝部材１２の前後方向の幅は、リンク７の前後方向の幅よりも大きい寸法を有しており、緩衝部材１２の前後の外周縁はリンク７の外周縁より前後方向に常時突出している。
【００１６】
緩衝部材１２の平行状の前後の外周縁は、前後方向に延出する板状の緩衝部材１２の面部に対して左右方向に延出することで、それぞれ突縁１４，１５が形成されている。突縁１４，１５の内壁間の寸法はリンク７の前後の幅寸法と略同じ寸法を有しており、前後の突縁１４，１５間にリンク７を受け入れ挟持するように構成されている。リンク７の前後の外周縁が緩衝部材１２の突縁１４，１５の内壁に当接させることで、リンク７が緩衝部材１２から外れることを防止している。
【００１７】
緩衝部材１２の上端側は円弧状の湾曲凸縁１６に、下端側は円弧状の湾曲凹縁１７に形成されており、上側に位置する緩衝部材１２の下端の湾曲凹縁１７が、下側に位置する緩衝部材１２の上端の湾曲凸縁１６を受け入れるようになっている。したがって、上下方向に隣位の緩衝部材１２の端部同士は近接してはいるものの、干渉せずに互いに屈曲自在となっている。
【００１８】
緩衝部材１２の平行状の前後の外周縁（すなわち、突縁１４，１５）の上下方向の長さは、リンク７の前後の平行状の外周縁（湾曲凸縁を除く部位）と略同じ寸法を有している。緩衝部材１２は挿通孔１３を介してパイプ６に対して回動自在となっており、リンク７の屈曲に伴って緩衝部材１２も屈曲し、緩衝部材１２の前後の外周縁はリンク７の外周縁よりも常時突出している。したがって、シャッターカーテンを巻き取った時には、緩衝部材１２の前後の外周縁（突縁１４，１５の外壁）同士が当接するようになっており、したがって、スラット９にも緩衝部材１２が当接することになり、いわゆるメタルタッチを防ぐことができる。
【００１９】
このような緩衝部材１２の組み立てについて説明する。上下方向に並設された複数のパイプ６は、上下方向に交互に配設された一対のアウターリンク（上下のリンク７の端部同士が重合した際に左右方向外側に位置するリンク７）と一対のインナーリンク（上下のリンク７の端部同士が重合した際に内側に位置するリンク７）とによって連結されている。そして、対向する一対のリンク７間に緩衝部材１２を挟持するようになっている。すなわち、一対のリンク７および緩衝部材１２の挿通孔１０，１３にパイプ６を挿通させ、一対のリンク７を左右から緩衝部材１２を挟持するようにして、緩衝部材１２の左右の面部に前後の突縁１４，１５間に位置して設ける。上下に隣位のリンク７は、パイプ６を挿通させた端部同士を互い違いに重合させて上下方向に連設されており、突縁１４，１５の面部に対する突出寸法は重合した２枚のリンク７を受け入れるような突出寸法を有している。尚、リンク７のパイプ６の長さ方向へのずれは、リンク７の端部に位置して公知の止め輪を装着することで規制する。このような止め輪については、例えば特開平７−３２４５６９号に開示されている。
【００２０】
図７、図８は本発明の第二の実施の形態を示す図である。上下に隣位のパイプ６は、二つの短尺リンク７０を短尺パイプ６０によって互いに屈曲自在に上下に連結してなるリンク部材によって連結されている。すなわち、パイプシャッター１は、パイプ６の上下方向の間隔の中間部位でさらに屈曲自在となっている。
【００２１】
緩衝部材１２の上下の長さ寸法は、短尺リンク７０に対応する寸法を有しており、第一の実施の形態のものに比べて短尺である。緩衝部材１２は、所望の肉厚を持った板状体であり、面部において若干上端側の部位にパイプ６あるいは短尺パイプ６０を挿通させる挿通孔１３を有していると共に、下方に向ってリンク７０の長さ方向に延出している。緩衝部材１２の前後方向の幅は、リンク７０の前後方向の幅よりも大きい寸法を有しており、緩衝部材１２の前後の外周縁はリンク７０の外周縁よりも常時突出している。
【００２２】
緩衝部材１２の平行状の前後の外周縁は、面部に対して左右方向に延出してそれぞれ突縁１４，１５を形成しており、突縁１４，１５の内壁間の寸法はリンク７０の前後の幅寸法と略同じ寸法を有しており、前後の突縁１４，１５間にリンク７０を受け入れ挟持するように構成されている。リンク７０の前後の外周縁が緩衝部材１２の突縁１４，１５の内壁に当接させることで、リンク７０が緩衝部材１２から外れることを防止している。
【００２３】
緩衝部材１２の上端は円弧状の湾曲凸縁１６に、下端は円弧状の湾曲凹縁１７に形成されており、上側に位置する緩衝部材１２の下端の湾曲凹縁１７が、下側に位置する緩衝部材１２の上端の湾曲凸縁１６を受け入れるようになっている。したがって、上下方向に隣位の緩衝部材１２の端部同士は近接しているものの、互いに干渉せずに屈曲自在となっている。
【００２４】
緩衝部材１２の平行状の前後の外周縁（突縁１４，１５）の上下方向の長さは、リンク７０の前後の平行状の外周縁（湾曲凸縁を除く部位）と略同じ寸法を有している。緩衝部材１２は挿通孔１３を介してパイプ６あるいは６０に対して回動自在となっており、リンク７０の屈曲に伴って緩衝部材１２も屈曲し、緩衝部材１２の外周縁は常時リンク７０の外周縁よりも突出するようになっている。シャッターカーテンを巻き取った時には、緩衝部材１２の前後の外周縁（突縁１４，１５の外壁）同士が当接するようになっており、したがって、スラット９にも緩衝部材１２が当接することになる。また、第二の実施の形態に係るリンク部材は長さ方向の中間部位で屈曲自在であるので、第一の実施の形態に係るものに比べて、巻きが正円に近く、よりスムーズな巻取りが可能となる。
【００２５】
このような緩衝部材１２の組み立てについて説明すると、左右の一対のリンク７０および緩衝部材１２の挿通孔１０，１３にパイプ６あるいは６０を挿通させ、左右一対のリンク７０を左右から緩衝部材１２を挟持するようにして、緩衝部材１２の左右の面部に前後の突縁１４，１５間に位置して設ける。上下に隣位のリンク７０は、パイプ６，６０を挿通させる部位において端部同士を互い違いに重合させて上下方向に連設されており、突縁１４，１５の面部に対する突出寸法は２枚のリンク７０の厚さに対応する寸法を有している。尚、短尺パイプ６０は両端部をかしめることで抜け止めを行っている。
【００２６】
図９、図１０は本発明の第三の実施の形態を示す図である。第二の実施の形態のものと同様に、上下に隣位のパイプ６は、二つの短尺リンク７０を短尺パイプ６０によって互いに屈曲自在に連結してなるリンク部材によって連設されている。すなわち、パイプシャッター１は、パイプ６の上下方向の間隔の中間部位でさらに屈曲自在となっている。
【００２７】
緩衝部材１２の上下の長さ寸法は、短尺リンク７０に対応する寸法を有しており、短尺リンク７０より僅かに大きい寸法に形成されている。緩衝部材１２は、上半部と下半部とから一体的に形成されており、上半部と下半部とは面部を段違い状に異ならしめて一体化されている。上半部および下半部の端縁はそれぞれ円弧状の湾曲凸縁に形成されていると共に、パイプ６あるいは６０を挿通させる挿通孔１３ａ，１３ｂが形成されている。
【００２８】
図９（ａ）に示すように、緩衝部材１２の前後方向の幅は、リンク７０の前後方向の幅よりも大きい寸法を有しており、緩衝部材１２の前後の外周縁はリンク７０の外周縁よりも常時突出している。
【００２９】
上下に位置する緩衝部材１２は、上側に位置する緩衝部材１２の段差部が、下側に位置する緩衝部材１２の上半部を受け入れるようになっており、上側に位置する緩衝部材１２の挿通孔１３ｂと下側に位置する緩衝部材１２の挿通孔１３ａとを一致させパイプ６あるいは６０が挿通される。したがって、上下方向に隣位の緩衝部材１２の端部同士は相じゃくり状に重合しているものの、互いに干渉せずに屈曲自在となっている。
【００３０】
緩衝部材１２はパイプ６、６０に対して回動自在となっており、リンク７０の屈曲に伴って緩衝部材１２も屈曲し、緩衝部材１２の外周縁は常時リンク７０の外周縁よりも突出している。シャッターカーテンを巻き取った時には、緩衝部材１２の前後の外周縁同士が当接するようになっており、したがって、スラット９にも緩衝部材１２が当接することになる。
【００３１】
このような緩衝部材１２の組み立てについて説明すると、緩衝部材１２を段差を利用して上下方向に重合状に連設させると共に、一対のリンク７０を左右から緩衝部材１２を挟持するようにしてあてがい、リンク７０および緩衝部材１２の挿通孔１０，１３ａ，１３ｂにパイプ６、６０を挿通させる。尚、短尺パイプ６０は両端部をかしめることで抜け止めを行っている。
【００３２】
【発明の効果】
本発明は、シャッターカーテンの巻取り時において、パイプシャッターとスラットシャッターとの接触面は常時緩衝部材を介することになるので、パイプシャッターを構成するリンクが直接スラットに当接することがなく、スラットにおける傷の発生、塗膜剥離、へこみ等を防止すると共に、開閉音の低減をも図ることができる。
【図面の簡単な説明】
【図１】上部開放型シャッターの概略正面図である。
【図２】 従来の上部開放型シャッターを巻き取った状態を示す側面図である。
【図３】メタルタッチを防止する手段を示すパイプシャッターの部分図であって、（ａ）は側面図、（ｂ）は正面図、（ｃ）は分解斜視図である。
【図４】図３に係るパイプシャッターを備えた上部開放型シャッターを巻き取った状態を示す側面図である。
【図５】本発明に係る第一の実施の形態を示すパイプシャッターの部分図であって、（ａ）は側面図、（ｂ）は正面図、（ｃ）は分解斜視図、（ｄ）は緩衝部材の屈曲態様を示す側面図である。
【図６】図５に係るパイプシャッターを備えた上部開放型シャッターを巻き取った状態を示す側面図である。
【図７】本発明に係る第二の実施の形態を示すパイプシャッターの部分図であって、（ａ）は側面図、（ｂ）は正面図、（ｃ），（ｄ）は分解斜視図、（ｅ），（ｆ）は屈曲態様を示す側面図である。
【図８】図７に係るパイプシャッターを備えた上部開放型シャッターを巻き取った状態を示す側面図である。
【図９】本発明に係る第二の実施の形態を示すパイプシャッターの部分図であって、（ａ）は側面図、（ｂ）は正面図、（ｃ）は分解斜視図である。
【図１０】図９に係るパイプシャッターを備えた上部開放型シャッターを巻き取った状態を示す側面図である。
【符号の説明】
１      パイプシャッター
２      スラットシャッター
６      パイプ
６０    短尺パイプ
７      リンク
７０    短尺リンク
９      スラット
１０    挿通孔
１１    挿通孔
１２    緩衝部材
１３    挿通孔
１３ａ  挿通孔
１３ｂ  挿通孔
１４    突縁
１５    突縁
【図１】
0003718792.tif 000002
【図２】
0003718792.tif 000003
【図３】
0003718792.tif 000004
【図４】
0003718792.tif 000005
【図５】
0003718792.tif 000006
【図６】
0003718792.tif 000007
【図７】
0003718792.tif 000008
【図８】
0003718792.tif 000009
【図９】
0003718792.tif 000010
【図１０】
0003718792.tif 000011